(57)【特許請求の範囲】
【請求項１】
時計の移動に関係する情報のためのインジケータを駆動し、ｎとｎ−ｍとの間で変わる最大値までいくつかの期間にわたって変化するための機構であって、いくつかの期間のそれぞれの間に情報が１ステップずつ展開し、
‐前記移動によってエネルギーを供給される第１のドライブピニオン（１）の第１のセットと、
‐第１のドライブピニオン（１）の前記第１のセットとかみ合って、１期間あたりｎステップ分前進するように配置される第１の歯部（１０）を備える駆動輪（８）と、
‐前記移動によってエネルギーを供給される第２のドライブピニオン（２）の第２のセットであって、ドライブピニオンの前記第１のセットおよび前記第２のセットが、ドライブピニオンの前記第１のセットおよび前記第２のセットが前記駆動輪（８）と同時に協調しないように互いに対して配置される、第２のドライブピニオン（２）の第２のセットと、
‐前記駆動輪（８）によって運ばれるｍ個の格納式の歯（２０、２１、２２）であって、それぞれが少なくとも２つの位置、つまり第２のドライブピニオンの前記第２のセットの内の前記第２のドライブピニオン（２）の１つとかみ合い、前記駆動輪（８）を追加の１ステップ分前進させるためのアクティブな位置と、前記第２のドライブピニオン（２）と協調しないためのイナクティブな位置との間で移動するように配置されるｍ個の格納式の歯と、
‐それぞれが少なくとも１個の格納式の歯（２０、２１、２２）と関連付けられたコーディングカム（２６、３２、３４）および前記コーディングカム（２６、３２、３４）で固定されたコーディングホイール（１６、１８）であって、コーディングカムの数が１とｍとの間で成り、コーディングホイールの数がコーディングカムの数の前記数以下であり、各コーディングカム（２６、３２、３４）が前記情報の少なくとも１つの最小値ｎ−ｘと関連付けられ、ｘがある期間、１とｍとの間で成り、前記関連付けられた格納式の歯（２０、２１、２２）を、前記情報の関連付けられた最大値がｎ−ｍとｎ−ｘとの間で成る値である期間ごとに、前記アクティブな位置から前記イナクティブな位置に、および前記イナクティブな位置から前記アクティブな位置に移動させるように配置されるコーディングカムおよびコーディングホイールと、
‐前記コーディングホイール（１６、１８）のそれぞれに前記駆動輪（８）を運動学的に繋ぐように配置され、前記駆動輪（８）に対して前記コーディングカム（２６、３２、３４）に適切な回転速度を与えるように配置され、したがって前記情報がある期間最大値ｎ−ｘに到達すると、ｘ個の格納式の歯（２０、２１、２２）が前記アクティブな位置に進入し、次いで前記イナクティブな位置に戻り、前記駆動輪（８）がその期間の間追加のｘステップ分前進し、ｎ、ｍおよびｘが正の整数である駆動手段と
を備え、
各格納式の歯（２０、２１、２２）がスタッド（３０、３８、４２）を備え、前記情報の最大値ｎ−ｘと関連付けられた前記対応するコーディングカム（２６、３２、３４）が、前記スタッド（３０、３８、４２）が循環できるトラック（２８、３６、４０）を備え、前記トラック（２８、３６、４０）が、前記格納式の歯（２０、２１、２２）が、前記情報の前記関連付けられた最大値がｎ−ｘ＋１とｎとの間で成る値である期間ごとに、そのイナクティブな位置に留まり、前記情報の前記関連付けられた最大値がｎ−ｍとｎ−ｘとの間で成る値である期間ごとに、前記格納式の歯（２０、２１、２２）がそのイナクティブな位置からそのアクティブな位置に移動し、次いで前記第２のドライブピニオン（２）と協調した後にそのイナクティブな位置に戻る適切な構成を有する、機構。
【請求項２】
前記駆動手段が、前記駆動輪（８）と協調するように配置される駆動歯部（５２）を備え、諸駆動歯部（５４、５６）の数がコーディングホイール（１６、１８）の前記数と等しく、前記諸駆動歯部（５４、５６）が前記コーディングホイール（１６、１８）と協調するように配置され、前記駆動歯部（５２）および前記諸駆動歯部（５４、５６）が、前記駆動輪（８）と前記コーディングカム（２６、３２、３４）のそれぞれとの間で適切な速度比を得るように選ばれる、請求項１に記載の機構。
【請求項３】
前記駆動歯部（５２）および前記諸駆動歯部（５４、５６）が同じアーバ（５８）に取り付けられる、請求項２に記載の機構。
【請求項４】
前記駆動輪（８）が前記駆動手段と協調するために第２の歯部（１１）を備える、請求項１〜３のいずれか１項に記載の機構。
【請求項５】
前記コーディングホイール（１６、１８）、前記コーディングカム（２６、３２、３４）および前記駆動輪（８）が同軸である、請求項１〜４のいずれか１項に記載の機構。
【請求項６】
ドライブピニオンの前記第１のセットおよび前記第２のセットが、それぞれ第１のドライブピニオン、第２のドライブピニオンを備え、前記第１のドライブピニオンおよび前記第２のドライブピニオン（１、２）が互いに固定されている、請求項１〜５のいずれか１項に記載の機構。
【請求項７】
前記機構が、３０日の月と関連付けられた第１の格納式の歯（２０）および第１のコーディングカム（２６）、２９日の２月の月と関連付けられた第２の格納式の歯（２１）および第２のコーディングカム（３２）、ならびに２８日の２月の月と関連付けられた第３の格納式の歯（２２）および第３のコーディングカム（３４）を備え、前記駆動輪（８）が１日に１ステップ分前進するように配置された３１個の歯のある日付ホイールである、請求項１〜６のいずれか１項に記載の機構。
【請求項８】
前記３０日の月と関連付けられた前記第１のコーディングカム（２６）が前記３０日の月および３１日の月用のコーディングホイール（１６）に固定され、２９日の２月の前記月と関連付けられた前記第２のコーディングカム（３２）および２８日の２月の前記月と関連付けられた前記第３のコーディングカム（３４）が２８日の２月および２９日の２月の前記月用の同じコーディングホイール（１８）に固定される、請求項７に記載の機構。
【請求項９】
前記駆動手段が、前記日付ホイール（８）と協調するように配置された駆動歯部（５２）、前記３０日の月および３１日の月用の前記コーディングホイール（１６）と協調するように配置された第１の駆動歯部（５４）、ならびに２８日の月および２９日の２月の前記月用の前記コーディングホイール（１８）と協調するように配置された第２の駆動歯部（５６）を備える、請求項８に記載の機構。
【請求項１０】
前記日付ホイール（８）および駆動機関（５０）の前記歯部が、１年に１２回の回転を実行する前記日付ホイール（８）、前記３０日の月および３１日の月用の前記コーディングホイール（１６）が１年に１１回の回転を実行し、前記駆動輪（８）から毎月３０°分シフトし、２８日の２月および２９日の２月の前記月用の前記コーディングホイール（１８）が４年に４７回の回転を実行し、前記日付ホイール（８）に対して７．５°分シフトする、請求項９に記載の機構。
【請求項１１】
前記機構が、曜日のインジケータを駆動するための機構を備え、曜日のインジケータを駆動するための前記機構が、前記格納式の歯（２０、２１、２２）が前記イナクティブな位置にあるときに、前記駆動輪（８）の前記第１の歯部（１０）と協調し、前記格納式の歯（２０、２１、２２）の内の少なくとも１個が前記アクティブな位置にあるときに前記駆動輪（８）の前記第１の歯部（１０）から解放されるように配置される、請求項１〜１０のいずれか１項に記載の機構。
【請求項１２】
曜日のインジケータを駆動するための前記機構が、前記曜日ホイール（６０）が取り付けられるレバー（６６）、および前記レバーと協調する制御装置（７４）をさらに備え、前記制御装置が、前記制御装置（７４）および前記レバー（６６）を持ち上げて、前記駆動輪（８）の前記第１の歯部（１０）から前記曜日ホイール（６０）を自由にするために、前記格納式の歯（２０、２１、２２）が前記アクティブな位置にあるときに前記格納式の歯（２０、２１、２２）の内の少なくとも１個と協調するように配置された突出ゾーン（７８）を有する、請求項１１に記載の機構。
【発明の詳細な説明】
【技術分野】
【０００１】
本発明は機械時計に関する。さらに詳細には、本発明は時計の移動に関係する情報のインジケータを駆動し、いくつかの期間にわたってｎとｎ−ｍとの間で変わる最大値まで変化するための機構に関し、いくつかの期間のそれぞれの間にその情報が１ステップずつ展開する機構に関し、該機構は、
‐移動によってエネルギーを供給される第１のドライブピニオンの第１のセットと、
‐１期間あたりｎステップ分前進するために第１のドライブピニオンの第１のセットとかみ合うように装置される第１の歯部を含む駆動輪と、
‐移動によってエネルギーを供給される第２のドライブピニオンの第２のセットであって、ドライブピニオンの第１のセットおよび第２のセットが、それらが駆動輪と同時に協調しないように互いに対して配置されている第２のドライブピニオンの第２のセットと、
‐駆動輪によって運ばれるｍ個の格納式の歯であって、それぞれが２つの位置、つまり第２のドライブピニオンの第２のセットの内の第２のドライブピニオンの１つとかみ合い、追加の１ステップ分、駆動輪を前進させるためのアクティブな位置と、該第２のドライブピニオンと協調しないためのイナィティブな位置との間で移動するように装置されるｍ個の格納式の歯と、
‐それぞれが少なくとも１個の格納式の歯と関連付けられたコーディングカム、および該コーディングカムで固定されたコーディングホイールであって、コーディングカムの数は１とｍとの間で成り、コーディングホイールの数はコーディングカムの数以下であり、各コーディングカムが情報の少なくとも１つの最小値ｎ−ｘと関連付けられ、ｘがある期間、１とｍの間で成り、情報の関連付けられた最大値がｎ−ｍとｎ−ｘとの間で成る値である期間ごとに、関連付けられた格納式の歯をアクティブな位置からイナクティブな位置に、およびイナクティブな位置からアクティブな位置に移動させるように装置される、コーディングカムおよびコーディングホイールと、
‐駆動輪をコーディングホイールのそれぞれに運動学的に繋ぐように装置され、駆動輪に対してコーディングカムに適切な回転速度を与えるように装置され、したがって情報がある期間、最大値ｎ−ｘに達すると、ｘ個の格納式の歯がアクティブな位置に進入し、次いでイナクティブな位置に戻り、駆動輪がその期間、追加のｘステップ分前進し、ｎ、ｍ、およびｘが固有の整数であり、ｍ＞＝１であり、好ましくはｍ＞＝２である駆動手段と
を含む。
【背景技術】
【０００２】
本駆動機構は、懐中時計、掛け時計、置時計だけではなく腕時計にも使用できる。
【発明の概要】
【発明が解決しようとする課題】
【０００３】
係る機構は、プログラムホイールによって支持されている少なくとも１個の格納式の歯の使用を説明しており、格納式の歯がホイールと関連付けられ、歯がカム表面として働く、たとえば特許出願欧州第１，３５１，１０４号に説明されている。ただし、格納式の歯は、所与の位置に保たれておらず、したがって衝撃が生じた場合にアクティブな位置に折悪しく自らを配置させるだろう摺動式要素である。これは、システムの妨害を引き起こすまたは時計の移動を破壊する危険を冒すだろう。
【０００４】
係る機構は、格納式の歯が時計の移動によって駆動されるアクティブな位置と、格納式の歯が該時計の移動によって駆動されないイナクティブな位置との間で枢着された格納式の歯の使用を説明する、特許出願欧州第２，４９０，０８４号にも説明されている。ただし、弾性要素が提供され、枢着する格納式の歯をイナィティブな位置に保つことを可能にする。係る弾性要素をリターンスプリングとして使用することは最適ではない。実際、この種のパーツの経時的な挙動は既知ではない。さらに、弾性要素が破断または変形した場合、機構がもはや正しく機能しなくなる危険を冒す。さらに、枢着によって移動する格納式の歯はその結果非対称形を有する。結果的に、格納式の歯は、その対称性を鑑みると、それほど双方向にではなく、異なるピッチ円直径を有するホイールと係合できなくなる。
【０００５】
格納式の歯を使用する日付インジケータを駆動するための別の機構が、たとえば特許ＥＰ第１，２４０，５５９号に説明されている。この機構では、閏年に対応するために、格納式の歯を移動し、格納式の歯をイナィティブな、つまり収縮位置に保つためのばねに依存する格納式の歯の使用が提供され、たとえば切頂円筒形を有する偏心器によってアクティブな位置に保たれる。
【０００６】
バネの作用を使用する係る機構は最適ではない。実際に、文書ＥＰ第１，２４０，５５９号では、バネは、月のホイールの内壁に対して取り付けられている。この構造は、きわめて多大となる場合がある摩擦を生じさせ、それによって多大なトルク損失を生じさせる。さらに経時的なバネの挙動は未知である。リスクは、一定の量の時間の後に、格納式の歯が不正確に収縮する、または不正確に定位置に保たれ、長期にわたってシステムの不適切な操作を生じさせるだろうという点である。バネが変形する場合、同じことは衝撃が起こった場合にもあてはまる。その結果、機構はもはや正しく機能しなくなる危険を冒す。
【０００７】
したがって、本発明の１つの目的は、格納式の歯の進入および退出を管理するための、つまり実装が容易であり、従来のシステムよりも少ないエネルギーを使用するためにほとんど摩擦を生じさせないバネなしの駆動機構を提案することによってこれらの欠点を弱めることである。
【０００８】
本発明の別の目的は、インジケータの二方向回転を可能にする駆動機構を提案することである。
【０００９】
本発明の別の目的は、数が削減された構成部品を含み、衝撃に耐えるコンパクトな駆動機構を提案することである。
【課題を解決するための手段】
【００１０】
その目的を達成するために、および本発明に従って、時計の移動に関係する情報のためのインジケータを駆動し、いくつかの期間にわたってｎとｎ−ｍとの間で変わる最大値まで変化するための機構が提案され、いくつかの期間のそれぞれの間に該情報が１ステップずつ展開し、該機構は、
‐移動によってエネルギーを供給される第１のドライブピニオンの第１のセットと、
‐１期間あたりｎステップ分前進するために第１のドライブピニオンの第１のセットとかみ合うように装置される第１の歯部を含む駆動輪と、
‐移動によってエネルギーを供給される第２のドライブピニオンの第２のセットであって、ドライブピニオンの第１のセットおよび第２のセットが、それらが駆動輪と同時に協調しないように互いに対して配置されている第２のドライブピニオンの第２のセットと、
‐駆動輪によって運ばれるｍ個の格納式の歯であって、それぞれが少なくとも２つの位置、つまり第２のドライブピニオンの第２のセットの内の第２のドライブピニオンの１つとかみ合い、追加の１ステップ分、駆動輪を前進させるためのアクティブな位置と、該第２のドライブピニオンと協調しないためのイナィティブな位置との間で移動するように装置されるｍ個の格納式の歯と、
‐それぞれが少なくとも１個の格納式の歯と関連付けられたコーディングカム、および該コーディングカムで固定されたコーディングホイールであって、コーディングカムの数は１とｍとの間で成り、コーディングホイールの数はコーディングカムの数以下であり、各コーディングカムが情報の少なくとも１つの最小値ｎ−ｘと関連付けられ、ｘがある期間、１とｍとの間で成り、情報の関連付けられた最大値がｎ−ｍとｎ−ｘとの間で成る値である期間ごとに、関連付けられた格納式の歯をアクティブな位置からイナクティブな位置に、およびイナクティブな位置からアクティブな位置に移動させるように装置される、コーディングカムおよびコーディングホイールと、
‐駆動輪をコーディングホイールのそれぞれに運動学的に繋ぐように装置され、駆動輪に対してコーディングカムに適切な回転速度を与えるように装置され、したがって情報がある期間、最大値ｎ−ｘに達すると、ｘ個の格納式の歯がアクティブな位置に進入し、次いでイナクティブな位置に戻り、駆動輪がその期間、追加のｘステップ分前進し、ｎ、ｍ、およびｘが固有の整数であり、ｍ＞＝１であり、好ましくはｍ＞＝２である駆動手段と
を含む。
【００１１】
本発明に従って、それぞれの格納式の歯は、スタッドを含み、情報の最大値ｎ−ｘと関連付けられた対応するコーディングカムは、スタッドが中で循環できるトラックを含み、トラックは、情報の関連付けられた最大値がｎ−ｘ＋１とｎとの間で成る値である期間ごとに、格納式の歯がそのイナクティブな位置に留まり、格納式の歯が、情報の関連付けられた最大値がｎ−ｍとｎ−ｘとの間で成る値である期間ごとに、そのイナクティブな位置からそのアクティブな位置に向かって移動し、次いで第２のドライブピニオンと協調した後にそのイナクティブな位置に戻る適切な構成を有する。
【００１２】
このようにして、それぞれの格納式の歯は駆動輪に対して半径方向に移動する。この構造の１つの優位点は、格納式の歯が、それらが本発明に係る機構で使用されるホイールのピッチ円直径とは異なるピッチ円直径を含む移動の他のホイールと連動できるように移動するときに、格納式の歯の形状が対称のままとなる点である。
【００１３】
有利なことに、駆動手段は、駆動輪と協調するように装置される駆動歯部を含む駆動機関を含んでよく、諸駆動歯部の数はコーディングホイールの数に等しく、該諸駆動歯部はコーディングホイールと協調するように装置され、駆動歯部および該諸駆動歯部は、駆動輪とコーディングカムのそれぞれとの間の適切な速度比を得るために選ばれる。
【００１４】
好ましくは、駆動歯部および諸駆動歯部は、同じアーバに取り付けることができる。
【００１５】
有利なことに、駆動輪は、駆動手段と協調するために第２の歯部を含んでよい。
【００１６】
好ましくは、コーディングホイール、コーディングカム、および駆動輪は同軸であってよい。
【００１７】
有利なことに、ドライブピニオンの第１のセットおよび第２のセットは、それぞれ第１のドライブピニオンおよび第２のドライブピニオンを含んでよく、該第１のドライブピニオンおよび第２のドライブピニオンは互いに固定されている。
【００１８】
駆動機構が万年歴インジケータを駆動するための機構である好ましい一実施形態に従って、該機構は、３０日の月と関連付けられた第１の格納式の歯および第１のコーディングカム、２９日の２月の月と関連付けられた第２の格納式の歯および第２のコーディングカム、ならびに２８日の２月の月と関連付けられた第３の格納式の歯および第３のコーディングカムを含み、駆動輪は、１日に１ステップ分前進するように装置された３１個の歯のある日付ホイールである。
【００１９】
有利なことに、３０日の月と関連付けられたコーディングカムは３０日の月および３１日の月用のコーディングホイールに固定することができ、２９日の２月の月に関連付けられたコーディングカムおよび２８日の２月の月に関連付けられたコーディングカムは、２８日の２月および２９日の２月の月用の同じコーディングホイールに固定される。
【００２０】
好ましくは、駆動手段は日付ホイールと協調するように装置された駆動歯部を含む駆動機関を含んでよく、第１の駆動歯部は３０日の月および３１日の月用のコーディングホイールと協調するように装置され、第２の駆動歯部は２８日および２９日の２月の月用のコーディングホイールと協調するように装置される。
【００２１】
日付ホイールおよび駆動機関の歯部は、１年に１２回転を実行する日付ホイール、３０日の月および３１日の月用のコーディングホイールが１年に１１回の回転を実行し、日付ホイールから毎月３０°分シフトし、２８日および２９日の２月の月用のコーディングホイールは４年で４７回の回転を実行し、日付ホイールに対して７．５°分シフトするものである。
【００２２】
好ましい一実施形態に従って、本発明に係る駆動機構は、曜日のインジケータを駆動するための機構を含み、該機構は、格納式の歯がイナクティブな位置にあるときに駆動輪の第１の歯部と協調し、格納式の歯の内の少なくとも１個がアクティブな位置にあるときに駆動輪の第１の歯部から解放されるように装置される曜日のホイールを含む。
【００２３】
有利なことに、曜日のインジケータを駆動するための機構は、曜日ホイールが取り付けられるレバー、および該レバーと協調する制御装置をさらに含むことがあり、該制御装置は、該制御装置およびレバーを持ち上げ、日付ホイールを駆動輪の第１の歯部から自由にするために、格納式の歯がアクティブな位置にあるときに格納式の歯の内の少なくとも１個と協調するように装置される突出ゾーンを有する。
【００２４】
本発明は、図面を参照して例として提供され、なされる異なる実施形態の続く説明を読むとさらによく理解されるだろう。
【図面の簡単な説明】
【００２５】
【図１】本発明に係る駆動輪およびコーディングホイールを示す等角全体図である。
【図２】図１の展開等角図である。
【図３】本発明の駆動機構の平面図である。
【図４】図３の等角図である。
【図５】３１日の月用の構成において、本発明に係る駆動機構の簡略化された平面図である。
【図６】３０日の月用の構成において、本発明の駆動機構の簡略化された平面図である。
【図７】２８日の月用の構成において、本発明に係る駆動機構の簡略化された平面図である。
【図８】２９日の月用の構成において、本発明に係る駆動機構の簡略化された平面図である。
【図９】駆動輪の底面図である。
【図１０】イナクティブな位置の曜日のインジケータを駆動するための機構と関連付けられた本発明に係る駆動機構の平面図である。
【図１１】イナクティブな位置の曜日のインジケータを駆動するための機構と関連付けられた本発明の駆動機構を示す本発明に係る機構の等角図である。
【図１２】アクティブな位置の曜日のインジケータを駆動するための機構と関連付けられた本発明の駆動機構を示す本発明に係る機構の等角図である。
【発明を実施するための形態】
【００２６】
本説明では、情報が１ステップずつ展開する期間は太陰暦の月等の非循環的な期間、またはグレゴリオ暦の月等のサイクルを形成する期間であってよく、該情報はたとえば月の幾日かであることができるインジケータによって示される。
【００２７】
以下に説明する例の実施形態では、インジケータによって提供される情報は、月の幾日かの日付であり、サイクルは４年であり、サイクルの期間は年の異なる月である。したがって、ｎ＝３１およびｍ＝３となり、月および年に応じて日付の最大値は２８、２９、３０または３１である。
【００２８】
この例の実施形態では、本発明に係る駆動機構はグレゴリオ暦の万年歴インジケータを駆動するための機構であり、駆動輪は１日に１ステップ分前進するように装置される３１個の歯のある日付ホイールであり、その前進が標準の前進と呼ばれる。
【００２９】
本説明では、表現「追加の１ステップ」は、駆動輪が、１日につき１ステップ分の標準の前進を基準にした任意の時系列とは無関係に、さらに１ステップ分前進することを意味する。
【００３０】
図１から図４を参照すると、１個の歯がある単一の第１のドライブピニオン１、および同軸であり互いに固定されている３個の歯がある単一の第２のドライブピニオン２を含む駆動機構が示されている。第１のドライブピニオンおよび第２のドライブピニオンは、アーバ４に固定される、図４に図示されるような単一の部分品内に形成されてよい。第１のドライブピニオンおよび第２のドライブピニオン１および２は、それらが、やはりアーバ４に固定されるピニオン６によって運動学的に繋がれている移動によってエネルギーを供給される。第１のドライブピニオンおよび第２のドライブピニオン２は、１日に１回の完全な回転を実行するように移動と協調する。
【００３１】
１個または複数の歯を含む第１のドライブピニオンおよび第２のドライブピニオンのセットも使用されてよく、それらの回転速度は、駆動輪が必要とされるステップ数分前進するように適切である。特に、第２のドライブピニオンのセットは、駆動輪の周りの異なる場所で分散されるいくつかの第２のドライブピニオンを含んでよい。
【００３２】
また、機構は、駆動輪、ここではより詳細には、第１のドライブピニオン１とかみ合うように装置される３１個の歯のある第１の歯部１０を含む日付ホイール８も含む。したがって、日付ホイール８は、第１のドライブピニオン１の歯によって１日につき１ステップ分駆動され、１月で１回の完全なステッピング回転を実行する。
【００３３】
日付ホイール８は、以下に説明される駆動手段と協調するように装置される第２の歯部１１も含む。
【００３４】
日付ホイール８の軸１２は、時計の文字盤に表示される３１のセグメント目盛りと協調する、ハンドまたはディスク（不図示）等のインジケータを運び、該インジケータは日付を示す。
【００３５】
日付ホイールを、歯車列または適切な機構を使用して移動の任意の場所に配置されるインジケータと繋ぐことも可能である。
【００３６】
第１のドライブピニオンおよび第２のドライブピニオン１および２の歯は、それらが同時の日付ホイール８と協調しないように互いに対して配置される。
【００３７】
より詳細に図９に示されるように、日付ホイール８は、３０日の月および３１日の月用のコーディングホイール１６、ならびに以下に説明される２８日の２月および２９日の２月の月用のコーディングホイール１８の向かいに、３つの凹部が設けられている固い表面１４を含む。これらの凹部のそれぞれでは、格納式の歯が、格納式の歯が上述されたそのアクティブな位置とイナクティブな位置との間で移動するために関連付けられた凹部内で半径方向に摺動できるような寸法に作られて載置されている。格納式の歯が、これらの２つを超える位置の間で移動できることも明らかである。さらに詳細には、格納式の歯は、格納式の歯を異なるピッチ円半径を有する他のホイールに作用できるようにするいくつかの位置を有するだろう。
【００３８】
固い表面１４の厚さは、凹部内に配置される格納式の歯が、第１の歯部１０の下方に配置されて、格納式の歯がアクティブな位置にあるときに第２のドライブピニオン２とかみ合うことができるようにするほど十分である。
【００３９】
示されている代替案では、機構は３個の格納式の歯２０、２１、２２を含み、格納式の歯２０は３０日の月と関連付けられ、格納式の歯２１は２９日の２月の月と関連付けられ、格納式の歯２２は２８日の２月の月と関連付けられている。
【００４０】
長円形の穴２４および２５が凹部の端部に設けられて、格納式の歯がイナクティブな位置にあるように引き下がることができるゾーンを形成する。
【００４１】
本発明に従って、駆動機構は、３０日の月および３１日の月用のコーディングホイール１６、ならびにコーディングホイール１６に固定され、格納式の歯２０と関連付けられるコーディングカム２６を含む。コーディングカム２６は、格納式の歯２０から突出するスタッド３０が、コーディングカム２６に向かって循環できるトラック２８を含む。トラック２８は、中空および点のセットから作られる構成を有し、該構成は３０日の月と関連付けられた格納式の歯２０が、３１日の月の間に凹部内部のそのイナクティブな位置に留まり、２８日の月、２９日の月、および３０日の月の間にその凹部を離れ、アクティブな位置に移動し、以後、第２のドライブピニオン２とかみ合った後にイナクティブな位置に戻るように適切である。
【００４２】
駆動機構は、２８日の２月および２９日の２月の月用のコーディングホイール１８、格納式の歯２１と関連付けられた２９日の２月の月と関連付けられたコーディングカム３２、ならびに格納式の歯２２と関連付けられた２８日の２月の月と関連付けられたコーディングカム３４も備える。この代替案では、単一のコーディングホイール１８が、２月の月用のコーディングカム３２および３４を運ぶために提供され、該コーディングカム３２および３４は、２８日の２月および２９日の２月の月用の該コーディングホイール１８に固定されている。
【００４３】
コーディングカム３２は、格納式の歯２１から突出するスタッド３８がコーディングカム３２に向かって循環できるトラック３６を含む。トラック３６は、４つの円形のセクタおよび円形のセクタを分け、規則正しく分配される４つの尖ったセクタから作られる構成を有する。この構成は、２９日の２月の月に関連付けられた格納式の歯２１が、３１日および３０日の月の間に凹部内部のそのイナクティブな位置に留まり、２８日の２月および２９日の２月の月の間その凹部を離れ、アクティブな位置に進入し、以後第２のドライブピニオン２とかみ合った後にイナクティブな位置に戻るように適している。
【００４４】
コーディングカム３４は、格納式の歯２２から突出するスタッド４２がコーディングカム３４に向かって循環できるトラック４０を含む。トラック４０は、３つの円形セクタ、および円形セクタを分離する３つの尖ったセクタから構成され、２つの円形セクタが１８０°にわたって規則正しく伸長し、第３の円形セクタが１８０°に渡って伸長する構成を有する。この構成は、２８日の２月の月と関連付けられた格納式の歯２２が、３１日の月、３０日の月、および２９日の２月の月の間、凹部内部のそのイナクティブな位置に留まり、２８日の２月の月の間、その凹部を離れ、アクティブな位置に進入し、後に第２のドライブピニオンとかみ合った後にイナクティブな位置に戻るように適切である。
【００４５】
２８日の２月および２９日の２月の月用のコーディングホイール１８は、３０日の月と関連付けられたコーディングカム２６を受け入れるような大きさに作られた中央開口部４４を含む。このようにして、３つのトラック３８、３６、および４０は同じ平面にある。
【００４６】
３０日の月および３１日の月用のコーディングホイール１６、２８日の２月および２９日の２月の月用のコーディングホイール１８、３０日の月と関連付けられたコーディングカム２６、２９日の２月および２８日の２月の月と関連付けられたコーディングカム３２および３４、ならびに日付ホイール８は軸４６に対して同軸であり、コーディングホイール１６および１８ならびに日付ホイール８は軸４６の周りを自由に回転して取り付けられている。
【００４７】
したがって、本発明に係る駆動機構は非常にコンパクトである。
【００４８】
コーディングカムおよび関連付けられたコーディングホイールは、単一の部分品内に、または２つの固定された部分品の形で作られてよいコーディングディスクを形成する。
【００４９】
本発明に従って、駆動機構は、コーディングホイール１６および１８のそれぞれに日付ホイール８を運動学的に繋ぐように装置され、日付ホイール８に対してコーディングカム２６、３２、および３４に適切な回転速度を与えるように装置される駆動手段も含み、したがって
‐３１日の月の場合、格納式の歯２０、２１、２２のどれもアクティブな位置に進入せず、
‐３０日の月の場合、格納式の歯２０だけがアクティブな位置に進入し、次いでイナクティブな位置に戻り、日付ホイール８がその月の間追加の１ステップ分前進し、
‐２９日の２月の月の場合、２個の格納式の歯２０および２１がアクティブな位置に進入し、次いでイナクティブな位置に戻り、日付ホイール８がその月の間追加の２ステップ分前進し、
‐２８日の２月の月の場合、３個の格納式の歯２０、２１、および２２がアクティブな位置に進入し、次いでイナクティブな位置に戻り、日付ホイール８がその月の間追加の３ステップ分前進する。
【００５０】
図３および図４に関してより詳細に、駆動手段は日付ホイール８の第２の歯部１１と協調するように装置される駆動歯部５２、３０日の月および３１日の月用のコーディングホイール１６と協調するように装置される第１の駆動歯部５４、ならびに２８日の２月および２９日の２月の月用のコーディングホイール１８と協調するように装置される第２の駆動歯部５５を含む駆動機関５０を含む。駆動歯部５２ならびに第１の駆動歯部および第２の駆動歯部５４および５６は、有利なことに同じアーバ５８に取り付けられ、固定されている。
【００５１】
本発明で使用される異なるギアの寸法および歯の数は、コーディングホイール１６および１８、したがってコーディングカム２６、３２、３４に、日付ホイール８に対して適切な回転速度を与えるように選ばれ、したがって格納式の歯は所望される回数アクティブな位置に進入する。
【００５２】
より詳細には、異なるギアの寸法および歯の数は、１年に１２回の回転を実行する日付ホイール８、３０日の月および３１日の月用のコーディングホイール１６が１年に１１回の回転を実行し、日付ホイール８から毎月３０°分シフトし、２８日の月および２９日の２月の月用のコーディングホイール１８が４年に４７回の回転を実行し、日付ホイールから毎月７．５°分シフトするように選ばれる。
【００５３】
さらに、コーディングカムは、円形ギアまたは非円形ギアの形状を駆動輪に与えるように装置されてよい。
【００５４】
さらに、本発明に係る万年歴インジケータを駆動するための機構は、図１０から図１２に示されるように、曜日のインジケータを駆動するための機構と関連付けられてもよい。曜日のインジケータを駆動するためのこの機構は、日付ホイール８の３１個の歯がある第１の歯部１０と協調するように配置される７個の歯を含む曜日ホイール６０を含む。
【００５５】
曜日ホイール６０は、ピニオン６２に対して回転で固定され、歯車列６４の第１の要素が、曜日ホイール６０を曜日のインジケータ（不図示）に運動学的に繋ぐことを可能にする。
【００５６】
曜日ホイール６０およびピニオン６２は、同様に軸ＡＡの周りのフレームに枢着されるレバー６６に枢着される。リターンスプリング６８は、ジャンパ７０だけではなくレバー６６を支えて設けられ、曜日ホイール６０を定位置に保つことを可能にする。
【００５７】
レバー６６は、その機能が以下に説明される突出部７２を含む。
【００５８】
曜日のインジケータを駆動するための機構は、軸ＢＢの周りのフレームに枢着された制御装置７４も含む。制御装置７４は、レバー６６の突出部７２と協調し、制御装置７４が持ち上げられるときにレバー６６を持ち上げるように装置される突出部７６を含む。
【００５９】
さらに、制御装置７４は、格納式の歯２０、２１、および２２がアクティブな位置にあるときに、格納式の歯２０、２１、および２２と協調するように装置される突出ゾーン７８を含む。
【００６０】
曜日のインジケータを駆動するための機構は、格納式の歯２０、２１および２２が一方で第２のドライブピニオン２と、他方で該突出ゾーン７８と協調できるように配置される。その目的を達成するために、該格納式の歯２０、２１、および２２は、それらがアクティブな位置にあるときに第２のドライブピニオン２と突出ゾーン７８の両方ともと作動できるほど十分な厚さを有する。
【００６１】
したがって、制御装置７４およびレバー６６（したがって曜日ホイール６０）は、２つの位置、つまりイナクティブな位置とアクティブな位置との間で移動するように装置される。
【００６２】
図１０および図１１に示されるイナクティブな位置は、イナクティブな位置にある格納式の歯２０、２１、および２２のどれも制御装置７４と協調せず、したがって曜日ホイール６０が日付ホイール８の第１の歯部１０とかみ合う位置である。
【００６３】
図１２に示されるアクティブな位置は、アクティブな位置にある格納式の歯２０、２１、２２の内の少なくとも１個が、曜日ホイール６６が日付ホイール８の第１の歯部１０から自由になるようにレバー６６を持ち上げるために制御装置７４の突出ゾーン７８と協調する位置である。
【００６４】
レバー６６および制御装置７４の両側の２本のピン８０および８２が、レバー６６および制御装置７４の移動を制限することを可能にする。
【００６５】
したがって、３１日の月の間、制御装置７４はイナクティブな位置に留まり、リターンスプリング（不図示）の作用を受けて維持され、したがって曜日ホイール６０は日付ホイール８とかみ合い、日付を表示するために１日に１ステップの速度で駆動される。３１日よりも少ない月の間、制御装置７４は、アクティブな位置にある１個、２個または３個の格納式の歯２０、２１、２２の作用を受けて、月の日数に応じて、１回、２回または３回、持ち上げられ、その結果曜日ホイール６０は日付ホイール８から自由になる。したがって、表示される曜日は、日付ホイール８がその標準の前進に対して追加のステップ数分前進する間、固定されたままとなる。
【００６６】
曜日のインジケータを駆動するための機構は、３１日よりも少ない月を含み、１日分だけ曜日の表示を増分することを可能にする。
【００６７】
さらに、その構造のため、曜日のインジケータを駆動するための機構は両方向で動作する。事実上、ユーザによる反対方向での補正の場合、月の長さを考慮に入れて、曜日は正しく減少する。
【００６８】
本発明に係る万年歴インジケータを駆動するための機構の動作は、以下のとおりである。
【００６９】
毎日、第１のドライブピニオン１は、日付ホイールが１日に１ステップ分前進するように日付ホイール８の第１の歯部１０とかみ合い、したがって日付は１日に１ステップ分前進する。格納式の歯２０、２１、および２２はイナクティブな位置にあり、したがって第２のドライブピニオン２は日付ホイール８に何の作用も有さない。日付ホイール８は１ステップずつ前進し、その第２の歯部１１は駆動歯部５２とかみ合い、同様に第１の駆動歯部および第２の駆動歯部５４および５６を駆動し、第１の駆動歯部および第２の駆動歯部５４および５６は同様にそれぞれコーディングホイール１６および１８を回転させる。並行して、格納式の歯２０、２１、および２２は日付ホイール８によって運ばれ、それぞれのスタッド３０、３８、および４２は、関連付けられたコーディングカム２６、３２および３４のそのそれぞれのトラック２６、３６および４０で移動する。
【００７０】
図５を参照すると、３１日の月の間、コーディングホイール１６および１８の回転と組み合わされた日付ホイール８の回転中のトラック２８、３６および４０での格納式の歯２０、２１、２２のスタッド３０、３８および４２の移動は、コーディングカム２６、３２、および３４の適切な構成のおかげで、格納式の歯２０、２１、２２のスタッド３０、３８および４２が、トラック２８、３６および４０の中空内に留まり、したがって格納式の歯２０、２１、２２のすべてが日付ホイール８の内部のイナクティブな位置にあるようにするほどである。その結果、月の３１日の日付変更の間、１回のジャンプしか必要とされず、第１のドライブピニオン１の歯しか、単一のステップでしか前進しない日付ホイール８の第１の歯部とかみあわず、翌月の最初の日を表示する。同様に、第１の歯部１０と係合した曜日ホイール６０は、１日分曜日インジケータを増分するために前進する。
【００７１】
図６を参照すると、３０日の月の間、コーディングホイール１６および１８の回転と組わされた日付ホイール８の回転中のトラック２８、３６、および４０での格納式の歯のスタッド３０、３８および４２の移動は、コーディングカム２６、３２および３４の適切な構成のおかげで、月の最後の日、つまり３０日に、３０日の月と関連付けられた格納式の歯２０のスタッド３０が３０日の月と関連付けられたコーディングカム２６のトラック２８の点に到達し、格納式の歯２１および２２のスタッド３８および４２がコーディングカム３２および３４のトラック３６および４０の中空に留まるようにするほどである。したがって、格納式の歯２０はその凹部で半径方向に摺動し、アクティブな位置に進入して第２のドライブピニオン２とかみ合い、２個の格納式の歯２１および２２は日付ホイール８の内部のイナクティブ位置に留まる。その結果として、月の最後の日、つまり３０日の日付変更の間、２回のジャンプを行うことが必要となり、第２のドライブピニオン２の歯は格納式の歯２０とかみ合い、日付ホイール８を、日付ホイール８の標準の前進に対して追加の１ステップ分前進させ、第１のドライブピニオン１の歯は、その標準の前進に従って１ステップ分前進する日付ホイール８の第１の歯部１０とかみ合い、翌月の最初の日を表示する。コーディングカム２６の構成は、格納式の歯２０が関連付けられたトラック２８でのそのスタッド３０の移動によって迅速にそのイナクティブな位置を取り戻すほどであり、したがって、翌日、格納式の歯はアクティブな位置にある。
【００７２】
また、制御装置７４の突出ゾーン７８を押すことによって、格納式の歯２０は、レバー６６を枢動し、日付ホイール８から曜日ホイール６０を自由にするために該制御装置７４を持ち上げ、したがって表示された曜日は、日付ホイールがその標準の前進に対して追加の１ステップ分前進する間、固定されたままとなる。
【００７３】
図７に関して、２８日の２月の月の間、コーディングホイール１６および１８の回転と組み合わされた日付ホイール８の回転中のトラック２８、３６および４０での格納式の歯のスタッド３０、３８および４２の移動は、コーディングカム２６、３２、および３４の適切な構成のおかげで、月の最後の日、つまり２８日に、格納式の歯２０、２１、および２２のスタッド３０、３８および４２のそれぞれが、それぞれその関連付けられたコーディングカム２６、３２および３４のそのそれぞれのトラック２８、３６および４０で点に到達するほどである。したがって、各格納式の歯２０、２１および２２は、その凹部で半径方向に摺動し、アクティブな位置に進入して、第２のドライブピニオン２とかみ合う。その結果として、月の最後の日、つまり２月２８日の日付変更の間、４回のジャンプが必要とされ、第２のドライブピニオン２の３個の歯が３個の格納式の歯２０、２１、および２２とかみ合い、日付ホイール８を、日付ホイール８の標準の前進に対して追加の３ステップ分前進させ、第１のドライブピニオン１の歯は、その標準の前進に従って１ステップ分前進する日付ホイール８の第１の歯とかみ合い、翌月の最初の日を表示する。コーディングカム２６、３２および３４の構成は、格納式の歯２０、２１および２２が、関連付けられたトラックでのスタッドの移動によってそのイナクティブな位置を迅速に取り戻すほどであり、したがって翌日には、格納式の歯はアクティブな位置にない。
【００７４】
格納式の歯２０、２１、および２２は、制御装置７４の突出ゾーン７８を同様に押すことによって、レバー６６を枢動し、日付ホイール８から曜日ホイール６０を解放するために、該制御装置７４を３回持ち上げさせ、したがって表示された日は、日付ホイール８がその標準の前進に対して追加の３ステップ分前進する間、固定されたままとなる。
【００７５】
図８を参照すると、２月の月が２９日を含む閏年の間、コーディングホイール１６および１８の回転と組み合わされた日付ホイール８の回転中のトラック２８、３６および４０での格納式の歯のスタッド３０、３８および４２の移動は、コーディングカム２６、３２および３４の適切な構成のおかげで、月の最後の日、つまり２９日に、３０日の月と関連付けられた格納式の歯２０のスタッド３０が、３０日の月と関連付けられたコーディングカム２６のそのトラック２８の点に到達し、２９日の月と関連付けられた格納式の歯２１のスタッド３８が２９日の月と関連付けられたコーディングカム３２のそのトラック３６の点に到達し、格納式の歯２２のスタッド４２が、２８日の２月の月と関連付けられたコーディングカム３４のトラック４０の中空に留まるほどである。したがって、格納式の歯２０および２１はそのそれぞれの凹部で半径方向に摺動し、アクティブな位置に進入して、第２のドライブピニオン２とかみ合い、格納式の歯２２は日付ホール８の内部のイナクティブな位置に留まる。その結果として、月の最後の日、つまり２９日の日付変更の間、３回のジャンプが必要とされ、第２のドライブピニオン２の２個の歯が格納式の歯２０および２１とかみ合い、日付ホイール８を日付ホイールの標準の前進に対して追加の２ステップ分前進させ、第１のドライブピニオン１の歯は、その標準の前進に従って１ステップ分前進する日付ホイール８の第１の歯部１０とかみ合い、翌月の最初の日を表示させる。コーディングカム２６および２８の構成は、格納式の歯２０および２１が関連付けられたトラックのそのスタッドの移動によって迅速にそのイナクティブな位置を取り戻すほどであり、したがって翌日、格納式の歯はアクティブな位置にない。
【００７６】
格納式の歯２０および２１は、制御装置７４の突出ゾーン７８を同様に押すことによって、レバー６６を枢動し、日付ホイール８から曜日ホイール６０を解放するために、該制御装置７４を２回持ち上げさせ、したがって表示された曜日は、日付ホイール８がその標準の前進に対して追加の２ステップ分前進する間、固定されたままである。
【００７７】
したがって、本発明に係る駆動機構はリターンスプリングが格納式の歯を移動させることを必要としない。したがって、駆動機構は、リターンスプリングを使用する機構よりもより少ないエネルギーを使用し、より堅牢である。
【００７８】
さらに、本発明に係る駆動機構は削減された数の構成部品を使用し、該構成部品は単純な構造を有する。したがって、万年歴インジケータを駆動するための機構は、万年歴インジケータを駆動するための従来の機構と比して特に単純な構造となる。本発明に係る機構の主要な要素は多層構造であるため、非常にコンパクトな機構が得られる。さらに、カム、コーディングホイールおよび駆動手段は日付ホイールと運動学的に恒久的に繋がれた歯部を有するので、本発明に係る駆動機構は日付インジケータの双方向補正のために使用できる。
【００７９】
最後に、コーディングカム上に位置するトラックによって、格納式の歯の正確な位置決めが可能になり、それは衝撃時に格納式の歯が移動するのを防ぐ。
【００８０】
本発明が説明されている実施形態に制限されていないことは明らかである。特に、機構は、年間日付インジケータを得るために、３０日の月と関連付けられた１個の第１の格納式の歯および１つの第１のコーディングカムだけを含むだろう。格納式の歯の数は、閏年日付インジケータ等の他のタイプの日付インジケータを作るために修正されてよい。その場合、２９日の２月の月と関連付けられる第２の格納式の歯よび第２のコーディングカムがあり、２８日の２月の月と関連付けられた第３の格納式の歯および第３のコーディングカムは排除されている。その場合、２８日の２月の月の最後で日付を補正するために手動補正が提供される。
【００８１】
２８日の２月および２９日の２月の月用のコーディングホイールが、対応するコーディングカムをそれぞれ運ぶ２つの独立したホイールに分けられ、駆動機関が次いで追加の駆動歯部を含むことを規定することも可能である。さらに、駆動機関の歯部はいくつかの駆動機関を提供することによって分けられてよい、または依然として適切な速度比に従って日付ホイールをコーディングホイールに運動学的に繋ぐようにであるが、異なるように装置されてよい。
【００８２】
本代替案では、格納式の歯は、それらが水平面ｘ−ｙでその凹部内で並進するように装置される。図示されていない他の代替実施形態では、格納式の歯は、それらが垂直軸ｚに沿って、または水平面ｘ−ｙで回転によって並進するように装置されてよい。たとえば、格納式の歯は、長手方向軸が駆動輪の回転軸に垂直にならないように配置されてよい。これらの歯は、駆動輪によって画定される平面とは異なる高さに位置する、平行である場合もあれば、平行ではない場合もある平面に配置される歯部と協調する。
【００８３】
図示されていない別の代替実施形態では、日付インジケータのために使用されている格納式の歯によってすでに占有されているコーディングカム内で循環するために追加の格納式の歯が設けられてよく、該追加の格納式の歯は別の機構を作動するために使用される。
【００８４】
図示されていない別の代替実施形態では、ドライブピニオンは、上述された駆動輪に類似したホイールから構成されてよい。他の代替案では、上述された他の駆動輪を、上述された第１のドライブピニオンと協調する駆動輪と関連付けることも可能である。
【００８５】
上述された例では、本発明に係る機構は、万年歴インジケータを駆動することを可能にするが、機構は、明らかに任意の他の循環情報または非循環情報のインジケータを駆動するために使用できる。たとえば、循環情報は月相またはたとえばグレゴリオ暦等のサイクルを含む任意の種類の暦から生じる他の循環情報であってよい。非循環情報は、たとえば、太陰暦から生じることがあり、月であってよい。それに関連して、各月がプログラミングされるコーディングカムのセットが提供され、コーディングカムは一定の量の時間の後に変更されるように構成される。コーディングカムのセットの２つの変更の間のこの時間間隔は、システムのサイズの関数として定義され、たとえば２０年から３０年毎、または任意の他の期間であってよい。
【図１】
0006030661.tif 000002
【図２】
0006030661.tif 000003
【図３】
0006030661.tif 000004
【図４】
0006030661.tif 000005
【図５】
0006030661.tif 000006
【図６】
0006030661.tif 000007
【図７】
0006030661.tif 000008
【図８】
0006030661.tif 000009
【図９】
0006030661.tif 000010
【図１０】
0006030661.tif 000011
【図１１】
0006030661.tif 000012
【図１２】
0006030661.tif 000013